(57)【要約】【課題】蓋のロックを容易に行うことができるファイルを提供する。【解決手段】スリット開口１１ｄを有する表側シート１１ａと裏側シート１１ｂとを重ね合わせ袋状に成形したポケット１１において、裏側シート１１ｂから延び出た蓋部１２の先端に補強部１２ｂを設けるとともに、蓋部の内側に表側シート１１ａのスリット開口部１１ｄに係合する係合片１２ｃを設けることで、係合片１２ｃの変形を防いでスリット開口部１１ｄに係合しやすくした。【選択図】図２
2019093641.tif 000002
【特許請求の範囲】
【請求項１】
表側シートと裏側シートとを重ね合わせ袋状に成形したポケットと、
前記裏側シートから延び出て前記表側シートの上に折り返される蓋部と、
前記蓋部の先端に設けられ、前記蓋部の先端部分の変形を抑制する補強部と、
前記補強部から前記蓋部の内側に伸び出ることにより前記蓋部と異なる層に形成された係合片と、
前記係合片に対応する部分の前記表側シートに設けられて前記係合片をポケット内部に通すスリット開口と、
を備えたことを特徴とするファイル。
【請求項２】
前記補強部及び係合片は前記蓋部を構成する樹脂シートから一体的に延び出た樹脂シートを内側に折り返して前記蓋部に溶着してなることを特徴とする請求項１に記載のファイル。
【請求項３】
前記補強部及び係合片は前記蓋部を構成する樹脂シートと別の樹脂シートを前記蓋部の先端部の内側に溶着してなることを特徴とする請求項１に記載のファイル。
【請求項４】
前記補強部の溶着部は、前記係合片の付け根付近において他の部分よりも前記蓋部の先端寄りにずらして配置されていることを特徴とする請求項２又は請求項３に記載のファイル。
【請求項５】
前記補強部の溶着部は、前記係合片の付け根付近において円弧状に湾曲して形成されていることを特徴とする請求項２又は請求項３に記載のファイル。
【請求項６】
前記スリット開口の近傍に前記スリット開口付近の樹脂シートを変形しやすくするヒンジ溝が形成されていることを特徴とする請求項１に記載のファイル。
【発明の詳細な説明】
【技術分野】
【０００１】
本発明は、蓋付のポケットを有するファイルに関する。
【背景技術】
【０００２】
従来より、書類、チケット、チラシや文房具などの様々な形状の物を収容するポケットを有するファイルが知られている。このようなポケットには、被収容物の脱落を防ぐために入り口部分を覆う蓋が設けられているものもある。
【０００３】
また、蓋が簡単に外れないようにするために、蓋に係止片を設けてロックする機構を備えたものもある。
【先行技術文献】
【特許文献】
【０００４】
【特許文献１】特開２００１−６３２６３号公報
【特許文献２】特開Ｈ８−６７０８６号公報
【特許文献３】実用新案登録第３０５１７２８号
【発明の概要】
【発明が解決しようとする課題】
【０００５】
従来のファイルでは、蓋の先端に設けられた係止片を起立させ、その係止片をポケット本体のスリット開口に係止片を挿入することで蓋のロックを行なう。
【０００６】
ところが、係止片は本体のスリット開口になかなか入らず、何度も係止片をスリット開口に入れようとする動作が必要となって使いにくいものとなっていた。
【０００７】
そこで、本発明は、ポケットの蓋のロックを容易に行うことができるファイルを提供することを目的とする。
【課題を解決するための手段】
【０００８】
以下の開示の一観点によれば、表側シートと裏側シートとを重ね合わせ袋状に成形したポケットと、前記裏側シートから延び出て前記表側シートの上に折り返される蓋部と、前記蓋部の先端に設けられ、前記蓋部の先端部の変形を抑制する補強部と、前記補強部から前記蓋部の内側に伸び出ることにより前記蓋部と異なる層に形成された係止片と、前記係止片に対応する部分の前記表側シートに設けられて前記係止片をポケット内部に通すスリット開口と、を備えたファイルが提供される。
【発明の効果】
【０００９】
上記観点のファイルによれば、蓋部の先端に補強部を設けたことにより、係止片の剛性が高まり、係止片をスリット開口に挿入する際に逃げるように変形するのを防止できる。その結果、ポケットの蓋のロックを容易に行うことができる。
【図面の簡単な説明】
【００１０】
【図１】図１は、予備的事項に係るファイルとそのポケットの蓋部の構造を示す図である。
【図２】図２は、第１実施形態に係るファイルを蓋部を開いた状態で示す平面図である。
【図３】図３は、図２のファイルの蓋部の構造を示す拡大斜視図である。
【図４】図４（ａ）、（ｂ）は、図２のファイルの蓋部の係止片の動きを示す断面図である。
【図５】図５は、第２実施形態に係るファイルを示す平面図である。
【図６】図６（ａ）は、図５のファイルの蓋部の係止片付近を拡大した斜視図であり、図６（ｂ）は図６（ａ）のＩ−Ｉ線の断面図である。
【図７】図７は、図５のファイルの開口部の変形の様子を示す斜視図である。
【図８】図８は、第３実施形態に係るファイルを示す平面図である。
【図９】図９は、図８のファイルの断面図である。
【図１０】図１０は、図８のファイルの斜視図である。
【発明を実施するための形態】
【００１１】
（予備的事項）
本発明の実施形態に係るファイルの説明に先立って、予備的事項に係るファイルについて説明する。
【００１２】
図１は、予備的事項に係るファイル９０の構造を示す図である。
【００１３】
図１に示すように、予備的事項に係るファイル９０は、袋状に形成されたポケット９１を有している。ポケット９１は、例えば１枚の樹脂シートを下端部で折り返して両側辺を溶着することで形成されている。
【００１４】
このポケット９１を構成する樹脂シートのうち背面側シート９１ｂの上端部からは、蓋部９２が延び出ている。蓋部９２は、ポケット部９１との境界に形成された折目９２ａで折り返されてポケット９２の正面側シート９１ａの上に重なり、ポケット９１のスリット開口９１ｃを覆う。
【００１５】
さらに蓋部９２の中央部には、切欠部９２ｂが半円形状に形成されており、その切欠部９２ｂに囲まれた部分が、蓋部９２から起立可能な係止片９３となっている。
【００１６】
ポケット９１の正面側シート９１ａには、係止片９３に対応する部分に係止片９３の幅方向に伸びたスリット開口９１ｃが設けられており、蓋部９２をポケット９１に固定する際に係止片９３をそのスリット開口９１ｃに挿入する。
【００１７】
係止片９３をスリット開口９１ｃに入れる際には、蓋部９２の先端部を手で持って係止片９３の付け根付近を押して撓ませて、係止片９３を蓋部９２より突出させる。そして、突出した係止片９３の先端をスリット開口９１ｃの位置に合わせる。さらに、係止片９３をスリット開口９１ｃに差し込みつつ、表側シート９１ａを係止片９３で持ち上げるようにしてポケット９１の内部に係止片９３を押し込む操作が必要となる。
【００１８】
ところが、図示のファイル９０では、蓋部９２を撓ませて係止片９３を起立させようとすると、係止片９３がその幅方向に凹状に撓んで、正面側シート９１ａの開口に挿入し難い形状となってしまう。
【００１９】
さらに、係止片９３をスリット開口９１ｃに入れる際に逃げるようにして変形してしまうことがあり、１回の位置決め操作だけでロックを完了することが困難であるという問題がある。
【００２０】
そのため、蓋部９２をロックする操作が煩雑で使いにくいものとなっている。
【００２１】
（第１実施形態）
図２は、本実施形態に係るファイル１０の平面図であり、図３は図２のファイル１０の蓋部１２を拡大した斜視図である。また、図４（ａ）、（ｂ）は、図２のファイルの蓋部の係止片の動きを示す断面図である。
【００２２】
図２に示すように、本実施形態に係るファイル１０は、袋状に形成されたポケット１１を有している。ポケット１１は、例えば１枚の樹脂シートを下端部で折り返して両側辺及び底辺を溶着することで形成されている。なお、ポケット１１は、２枚の樹脂シートを重ね合わせて溶着して形成してもよい。
【００２３】
このように、ポケット１１は、正面側シート１１ａと背面側シート１１ｂとが重ね合わされ、それらの側辺及び底辺の３辺が封じられた構造となっている。
【００２４】
なお、図示のファイル１０では、ポケット１１の底辺又は側辺をバインダー等の綴じ具に綴じ込んで使用するための綴代１１ｅが設けられている。
【００２５】
ただし、ファイル１０はこれに限定されるものではなく、たとえばクリアポケットなどのように、単体で持ち運んで使用する形式のファイルであってもよい。この場合には、綴代１１ｅを設けなくてもよい。
【００２６】
ファイル１１を構成する樹脂シートには、例えばポリプロピレン樹脂やＰＥＴ樹脂などの可撓性を有する材料を用いることができる。
【００２７】
ポケット１１の背面側シート１１ｂの上端からは、蓋部１２が一体的に延び出ている。その蓋部１２は、背面側シート１１ｂとの境界にトムソン加工等によって形成された折目１２ａを有しており、その折目１２ａで内側に折り返されてポケット１１の正面側シート１１ａの上に重なり、ポケット１１の開口部１１ｃを覆う。
【００２８】
本実施形態では、図３に示すように、蓋部１２の先端の辺に沿って蓋部１２の変形を防ぐための補強部１２ｂが設けられている。その補強部１２ｂは、蓋部１２を構成する樹脂シート（破線部）を図示のように折り返して蓋部１２の内側の面に溶着して形成されている。
【００２９】
さらに、折り返された補強部１２ｂの先端中央部からは、半円形に形成された舌状の係止片１２ｃが延び出ている。特に限定されるものではないが、係止片１２ｃは補強部１２ｂと一体的に繋がって形成されている。
【００３０】
図示のように、補強部１２ｂの溶着ライン１２ｆは補強部１２ｂの幅方向の全域に形成されているが、係止片１２ｃの基端部だけ、溶着ライン１２ｆの位置を蓋部１２の先端寄りにずらしている。これにより、係止片１２ｃの可動範囲が広がり、係止片１２ｃを起立させやすくなる。
【００３１】
また、図２に示すように、ポケット１１の正面側シート１１ａの係止片１２ｃに対応する部分にはスリット開口１１ｄが形成されている。このスリット開口１１ｄの位置は、図４に示すように係止片１２ｃの付け根部分の位置に対応させておくと、係止片１２ｃを簡単に入れることができて好適である。
【００３２】
本実施形態では、補強部１２ｂで係止片１２ｃの付け根の部分が補強されたことにより、係止片１２ｃでスリット開口１１ｄの内側から正面側シート１１ａを持ち上げるように挿入することができる。これにより、係止片１２ｃはスリット開口１１ｄから逃げにくくなり、係止片１２をスリット開口１１ｄ内にスムーズに滑り込ませることができる。
【００３３】
また、係止片１２ｃが蓋部１２と異なる層に配置されているため、蓋部１２を撓ませて係止片１２ｃを起立させた場合に、蓋部１２の撓みの影響を受けにくくなっている。これにより、図４に示すように、係止片１２ｃがその幅方向に撓むことなく平面的な形状を維持でき、スリット開口１１ｄへ挿入しやすい形を維持できる。
【００３４】
以上のように、本実施形態のファイル１０によれば、蓋部１２のロックを容易に行うことができる。
【００３５】
（第１実施形態の変形例）
図２〜図４に示すファイルでは、補強部１２ｂ及び係止片１２ｃを蓋部１２から延び出た樹脂シートを折り返して形成する例を示したが、本発明はこれに限定されるものではない。
【００３６】
例えば、補強部１２ｂ及び係止片１２ｃを蓋部１２と別体の樹脂シートとして形成して蓋部１２の内側に貼り付けて形成してもよい。
【００３７】
（第２実施形態）
図５は、第２実施形態に係るファイル２０の平面図である。
【００３８】
図示のように、本実施形態のファイル２０は、係止片２２ｃの付け根の溶着ライン２２ｆの形状を変えるとともに、スリット開口１１ｄの近傍にヒンジ溝１１ｆを備えている点において、図２のファイル１０と異なる。
【００３９】
なお、図５のファイル２０において、図２のファイル１０と同じ構成については同一の符号を付してその詳細な説明を省略する。
【００４０】
図示のように、本実施形態では、蓋部１２の補強部１２ｂの溶着ライン２２ｆは、係止片２２ｃの付け根の部分において、蓋部１２の先端側に凸になるように緩やかに円弧状に湾曲して形成されている。
【００４１】
このように形成することにより、蓋部１２を撓ませて係止片２２ｃを起立させた際に、係止片２２ｃの剛性を高めることができる。
【００４２】
図６（ａ）は、係止片２２ｃを拡大して示す斜視図であり、図６（ｂ）は図６（ａ）のＩ−Ｉ部分の断面図である。
【００４３】
係止片２２ｃを起立させるためには、蓋部１２の係止片２２ｃの付け根の部分を持ち、内側の面側を突出させるように撓ませる。このとき、湾曲した溶着ライン２２ｆの形状によって張力が働き、図６（ｂ）に示すように、係止片２２ｃが弧状の断面に立体的に撓みながら起立した状態になる。
【００４４】
これにより、係止片２２ｃの長手方向の剛性が高まり、外力によって曲がりにくくなる。その結果、スリット開口１１ｄに係止片２２ｃを入れる際に係止片２２ｃが逃げるような変形を防止でき、係止片２２ｃをスムーズにスリット開口１１ｄに入れることができる。
【００４５】
図７は、図５のファイル本体の開口１１ｃの変形の様子を示す斜視図である。
【００４６】
また、本実施形態のファイル２０では、ポケット１１のスリット開口１１ｄの上に１本又は複数本のヒンジ溝１１ｆを設けている。このヒンジ溝１１ｆは、正面側シート１１ａの上面側からトムソン加工機のトムソン歯を押し付けて形成したものである。
【００４７】
このヒンジ溝１１ｆをつけることにより、図７に示すように、スリット開口１１ｄのヒンジ溝１１ｆ側の端部が持ち上がるように変形可能となっている。
【００４８】
それにより、係止片２２ｃを入れる際にスリット開口１１ｄの片側が上に膨らむように持ち上がって広がった状態となり、係止片２２ｃをスリット開口１１ｄからポケット１１の内部に押し込む際の抵抗を減らすことができる。
【００４９】
以上のように、本実施形態のファイル２０によれば、蓋部１２のロックを更に簡単に行うことができる。
【００５０】
（第３実施形態）
図８は、第３実施形態に係るファイル３０の平面図である。
【００５１】
図８に示すように、ファイル３０は、袋状に形成されたポケット１１の正面側のシート１１ａにスリット開口３１ｄが設けられている。そのスリット開口３１ｄは係止片３２ｃを入れるための開口であり、ポケット１１の下端側に膨らんだ略Ｄ型の開口として形成されている。なお、本実施形態のスリット開口３１ｄの形状は図示のものに限定されるものではなく、図２のファイル１０のスリット開口１１ｄのように、ファイル３０の幅方向に伸びる直線状の開口としてもよい。
【００５２】
ポケット１１の上端からは、折目１２ａを介して蓋部１２が延び出ており、その蓋部１２がポケット１１の開口１１ａを覆うように形成されている。その蓋部１２の先端中央部には折返部３２が設けられている。折返部３２は、蓋部１２から延び出た樹脂シートを蓋部１２の先端の辺に沿って蓋部１２の内側に折り返して形成されている。
【００５３】
折返部３２の基端側は、複数の溶着ラインによる溶着ライン３２ｆによって蓋部１２に固定された補強部３２ｂとなっている。その補強部３２ｂを介して係止片３２ｃが折返部３２の先端側に伸び出ている。係止片３２ｃは、溶着ライン３２ｆから先の部分であり、蓋部１２から分離して舌状に伸び出ている。
【００５４】
本実施形態においては、係止片３２ｃと補強部３２ｂとの境目となる溶着ライン３２ｆが第２実施形態に係る溶着ライン２２ｆ（図５参照）と同様に半円形に形成されている。これにより、蓋部１２を撓ませて係止片３２ｃを蓋部１２から立ち上げた状態としたときに、係止片３２ｃがその溶着ライン３２ｆから立ち上がり、弧状の断面に撓みながら起立した状態となる（図６参照）。これにより係止片３２ｃの長手方向の剛性が高まり、外力によって曲がりにくくなる。その結果、スリット開口３１ｄに係止片３２ｃを挿入する際に係止片３２ｃが逃げるような変形を防止できる。
【００５５】
図９は、本実施形態に係るファイル３０の蓋部１２を閉じた状態で示す正面図である。      
【００５６】
図１０は係止片３２ｃをスリット開口３１ｄに挿入する際のファイル３０の断面図である。
【００５７】
図９に示すように、本実施形態のファイル３０では、蓋部１２を閉じた状態において、折返部３２の補強部３２ｂと係止片３２ｃとを隔てる溶着ライン３２ｆの位置が、スリット開口３１ｄの下端から更に蓋部１２の先端側に所定の距離Δだけ離間するように配置されている。この距離Δとしては、例えば３ｍｍ〜１０ｍｍ程度とすることができる。
【００５８】
このように溶着ライン３２ｆの位置をスリット開口３１ｄの下端から所定距離だけ離間させることにより、蓋部１２を無理に引っ張って変形させることなく係止片３２ｃをスリット開口３１ｄに挿入することができる。すなわち、図１０の断面図に示すように、係止片３２ｃをスリット開口３１ｄに挿入するべく蓋部１２を軽く持ち上げると、溶着ライン３２ｆの位置はスリット開口３１ｄよりもファイル３０の下側（−Ｘ側）に位置する。このとき、係止片３２ｃはスリット開口３１ｄの下側に潜り込みやすい角度に傾いた状態となる。その状態で、係止片３２ｃの先端をスリット開口３１ｄの内部に当てながらファイル３０の上側（Ｘ側）にスライドさせると、係止片３２ｃの先端がスリット開口３１ｄの上端からファイル３０の内側に潜り込み、スムーズに係止片３２ｃをスリット開口３１ｄに挿入できる。
【００５９】
以上のように、本実施形態のファイル３０によれば、係止片３２ｃを簡単にスリット開口３１ｄに入れることができるため、簡単に蓋部１２をロックすることができる。
【符号の説明】
【００６０】
１０…ファイル、１１…ポケット、１１ａ…正面側シート、１１ｂ…背面側シート、１１ｃ…開口、１１ｄ、３１ｄ…スリット開口、１１ｆ…ヒンジ溝、１２…蓋部、１２ａ…折目、１２ｂ…補強部、１２ｃ、２２ｃ、３２ｃ…係止片、１２ｆ、３２ｆ…溶着ライン。
【図１】
2019093641.tif 000003
【図２】
2019093641.tif 000004
【図３】
2019093641.tif 000005
【図４】
2019093641.tif 000006
【図５】
2019093641.tif 000007
【図６】
2019093641.tif 000008
【図７】
2019093641.tif 000009
【図８】
2019093641.tif 000010
【図９】
2019093641.tif 000011
【図１０】
2019093641.tif 000012